(57)【要約】挿管のために扁平開口部及び側面開口部を有する気管チューブにおいて、気管チューブの先端は、円形状の扁平開口部を有し、側面開口部及（２）及びエアポケットカフ（３）を有し、その内径は、５−１０mmである。当該気管チューブと合わせて使用されるガイド芯は、半球、前円筒、円錐及び後円筒を含む。挿管の操作を実行する場合、ガイド芯の先端半球、前円筒、円錐台及び後円筒は、順番に声門を通過して気管内に進入する。気管チューブ及びガイド芯により、医師の視野が気管チューブに妨害されることを防止することができ、挿管の成功率を向上させ、喉頭蓋の損傷を避けることができる。
2014503275.tif 000002
【特許請求の範囲】
【請求項１】
扁平開口部及び側面開口部を有する気管チューブであって、
前記気管チューブの先端は円形であり、側面開口部及びエアポケットカフを有し、
当該気管チューブと合わせて使用されるガイド芯は、半球、前円筒、円錐及び後円筒を含む、
ことを特徴とする扁平開口部及び側面開口部を有する気管チューブ。
【請求項２】
前記先端は円形の扁平開口部であり、側開口部及びエアポケットカフを有し、内径は５−１０mmである、
ことを特徴とする請求項１に記載の扁平開口部及び側面開口部を有する気管チューブ。
【請求項３】
前記請求項１に記載の気管チューブに用いられれるガイド芯であって、
該ガイド芯は、半球、前円筒、円錐及び後円筒を含み、前記半球の直径は３−５mmであり、前記前円筒の長さは３０−５０mmであり、前記前円筒の半径は前記半球の半径に等しく、前記円錐台の前部の断面の半径は、前記前円筒の半径に等く、前記円錐台の後部の断面の半径は、前記後円筒の半径に等く、前記円錐台の長さは、１０−３０mmであり、前記後円筒の直径は、５−９mmであり、前記後円筒の長さは、５０−７０ｃmである、ことを特徴とするガイド芯。
【発明の詳細な説明】
【技術分野】
【０００１】
本発明は、救急医療又は集中治療のために患者の麻酔に対して臨床的に使用される気管チューブに関する。気管チューブの先端は、扁平開口部を有している。扁平開口部の内径は、５−１０mmである。気管チューブの先端は、側面開口部及びエアポケットカフ（air-pocket cuff）を有している。ガイド芯は、気管内に気管チューブを導引するために使用される。ガイド芯の先端は、直径３−５mmの半球である。その半球は、長さ３０−５０mm及び半球の半径に等しい半径を有する前円筒に接続される。前円筒は、円錐台に接続される。円錐台の前部の断面の半径は、前円筒の半径に等しい。円錐台の後部の断面の直径は、後円筒の直径に等しい。円錐台の長さは、１０−３０mmである。円錐台は、直径５−９mm及び長さ５０−７０ｃmの後円筒に接続される。
【背景技術】
【０００２】
現在、前方傾斜面及び側面開口を有する気管チューブは、世界中で一般的な臨床麻酔に使用されている。気管チューブの前方傾斜面は、声門の形状（すなわち、"1"字状）に適応し、気管チューブを導引して声門を通過する。しかし、気管チューブの前方傾斜面が比較的大きいので、声門、喉頭蓋、喉頭で動かなくなることがあり、挿管が困難になる。傾斜面で喉の損傷は、無理に挿管を繰り返し試行した後に容易に発生する。これにより、喉頭浮腫、呼吸困難、さらには患者の窒息が起こりうる。これは、挿管中に起こる患者の死亡の最も多い原因である。挿管が困難になる場合、挿管を補助するために気管支鏡又はブジーを挿入した後、気管内で気管チューブをさらに動かすことが困難になる。その原因は、気管支鏡又はブジーの先端が気管チューブの挿入端に角度を形成する場合、気管チューブの傾斜面が梨状洞、喉頭蓋又は声帯と接触する時に容易に動かない。無理に気管チューブを気管内に動かす場合、声帯、喉頭蓋及び喉頭に損傷を与える可能性がある。更に、気管支鏡が損傷を受ける可能性があり、挿管が非常に困難になる。この問題を克服するために、扁平開口部及び側面開口部を有する気管チューブ及びガイド芯は設計されている。気管チューブの先端は円形状の扁平開口部を有している。開口部の内径は5- 10 mmである。さらに、側面開口部は配設され、換気を向上させる。気管チューブは、ガイド芯によって導引され、気管を進入する。ガイド芯の先端は、直径３−５mmの半球である。その半球は、長さ３０−５０mm及び半球の直径に等しい直径を有する前円筒に接続され。前円筒は、長さ３０−５０mmの円錐台に接続される。円錐台は、直径５−９mm及び長さ５０−７０mmの後円筒に接続され。このガイド芯の利点は、その先端が半球状であるため、声門を容易に通過し、声帯及び喉頭への損傷を最小限にする。さらに、喉頭鏡で挿管を行う時に、医師の視野が気管チューブに妨害されることを防止することができる。ガイド芯の先端半球及び前円筒は、まず声門に挿入される。次に、徐々に厚くなる円錐台及び後円筒は、声門に挿入される。次に、ガイド芯の後円筒の直径よりも大きい内径を有する気管チューブは、声門に挿入される。一般的な挿管または困難の挿管を問わず、扁平開口部及び側面開口部を有する気管チューブ及びガイド芯により、医師が挿管を実施する時に、より優れた視野を提供することができ、声帯、喉頭蓋及び梨状洞の損傷を避けることができ、挿管の成功率を向上させる。
【発明の概要】
【発明が解決しようとする課題】
【０００３】
現在、傾斜面の気管チューブは、臨床的に使用されている。気管チューブが声門に通過する際に、声帯、喉頭蓋及び梨状洞の損傷が容易に発生する。本発明には、扁平開口部及び側面開口部を有する気管チューブ及びガイド芯は設計されている。気管チューブの先端は、円形の扁平開口部を有している。ガイド芯の先端半球、前円筒、円錐台及び後円筒は、順番に声門を通過する。次に、気管チューブはガイド芯に沿って気管に挿入される。その後、ガイド芯を引き出すことができる。この扁平開口部及び側面開口部を有する気管チューブにより、喉頭の損傷を避けることができる。気管支鏡またはブジーの直径と合わせる扁平開口部及び側面開口部を有する気管チューブにより、挿管を補助する時に、気管チューブを容易に挿入することができ、挿管の成功率を向上させる。
【課題を解決するための手段】
【０００４】
上記課題を解決するために、本発明によれば、扁平開口部及び側面開口部を有する気管チューブ及びガイド芯が提供される。気管チューブの他の部分は、従来の気管チューブと同じである。唯一の違いは、気管チューブの先端は、円形の扁平開口部を有している点である。扁平開口部の内径は、５−１０mmである。さらに、気管チューブは、通気を高めるために楕円形の側面開口部を有している。ガイド芯は、気管チューブと合わせて使用される。ガイド芯の先端は、直径３−５mmの半球である。その半球は、３０−５０mmの長さ及び半球の直径に等しい直径を有する前円筒に接続され。前円筒は、円錐台に接続される。円錐台の前部の断面の直径は、前円筒の直径に等しい。その後部の断面の直径は、後円筒の直径に等しい。円錐台の長さは、１０−３０mmである。円錐台は、５−９mmの直径及び５０−７０ｃmの長さを有する後円筒に接続される。
【発明の効果】
【０００５】
本発明の利点は、喉頭と気管チューブとの間の接触を低減することができ、比較的細い先端半球及び前円筒は声門を通過して気管に挿入される。したがって、挿管を行う時に、医師の視野が気管チューブに妨害されることを防止することができる。次に、徐々に厚くなる円錐台、後円筒、扁平開口部及び側面開口部を有する気管チューブは、順番に声門を通過して気管に挿入され、挿管の成功率を向上させ、声帯、喉頭蓋及び梨状洞の損傷を避けることができる。一般的な気管チューブの先端は、傾斜面である。もし気管チューブの先端傾斜面は声門の位置に合わされない場合、無理やり気管チューブを動かすことにより、声帯及び喉頭に損傷を与える可能性があり、挿管が困難になる。
【図面の簡単な説明】
【０００６】
【図１】扁平開口部及び側面開口部を有する気管チューブを示す図である（扁平開口部１、側面開口部２、エアポケットカフ３、内径４（５.５−１０mm）、チューブ本体５）。
【図２】ガイド芯を示す図である（半球１（直径：３−５mm）、前円筒２（３０−５０mmの長さ及び半球の直径に等しい直径）、円錐台３（前部の断面の直径は前円筒の直径に等しく、後部の断面の直径は後円筒の直径に等しく、長さは１０−３０mmである）、後円筒４（５−９mmの直径及び５０−７０ｃmの長さ））。
【発明を実施するための形態】
【０００７】
以下は、図面と実施形態に合わせて本発明を詳細に説明する。
図１は、扁平開口部及び側面開口部を有する気管チューブを示す図である。気管チューブの先端は、円形の扁平開口部を有している。側面開口部は、扁平開口部の隣に配置されている。充気するためのエアポケットカフは、側面開口に近接して配置されている。気管チューブの口の内径は、５−１０mmである。図２は、ガイド芯を示す図である。ガイド芯の先端は、３−５mmの直径を有する半球である。その半球は、３０−５０mmの長さ及び半球の直径に等しい直径を有する前円筒に接続される。前円筒は、円錐台に接続される。円錐台の前部の断面の直径は、前円筒の直径に等しい。その後部の断面の直径は、後円筒の直径に等しい。円錐台の長さは、１０−３０mmである。円錐台は、５−９mmの直径及び５０−７０ｃmの長さを有する後円筒に接続される。
【０００８】
扁平開口部及び側面開口部を有する気管チューブの内径は、５−１０mmである。麻酔科医は、患者の必要に応じて適切な内径を有する気管チューブを選択することができる。ガイド芯の後円筒の直径は、気管チューブの内径よりも小さく、後円筒の直径は気管チューブの内径より１−２mm程度小さい。挿管しにくい患者に対して、ガイド芯は、まず気管に挿入される。ガイド芯の先端半球、前円筒、円錐台及び後円筒は、順番に声門を通過することができる。次に、気管チューブは、ガイド芯に沿って、気管内に挿入される。その後、ガイド芯を引き出すことができる。 あるいは、ガイド芯は、まず気管チューブに挿設される。気管チューブの一端は、ガイド芯の円錐台と後円筒との間に位置される。挿管の操作を実行するために、医師は気管チューブの末端とガイド芯を握り、次に、ガイド芯の先端半球、前円筒、円錐台、後円筒及び気管チューブは、声門を順番に通過する。エアポケットカフが声門に進入した後、ガイド芯を徐々に引き出すことができる。気管内チューブが気管内の所望の深さに位置された後、ガイド芯を気管から完全に引き出すことができる。次に、エアポケットカフに空気を充填する。気管チューブが気管内に配置されていることを確認した後、挿管の動作が完了する。
【図１】
2014503275.tif 000003
【図２】
2014503275.tif 000004
【国際調査報告】
2014503275.tif 000005
2014503275.tif 000006
2014503275.tif 000007
2014503275.tif 000008
2014503275.tif 000009
2014503275.tif 000010
2014503275.tif 000011